(57)【要約】【課題】店内のお客様の購入した商品が精算処理済であることが目視で確認でき、且つ、万引きを防ぐことができる非接触ＩＣタグ及びそれを用いた照合システムを提供するのである。【解決手段】基材に少なくとも集積回路、アンテナコイル及び発光素子からなる非接触ＩＣタグであって、前記集積回路に付与された商品の固有情報を非接触の読み取り端末機で読み取る時に、前記商品の固有情報を照合した場合にのみ、前記発光素子が非発光から発光に変化するか、又は発光から非発光に変化することを特徴とする非接触ＩＣタグである。【選択図】図１
2013131025.tif 000002
【特許請求の範囲】
【請求項１】
基材に少なくとも集積回路、アンテナコイル及び発光素子からなる非接触ＩＣタグであって、前記集積回路に付与された商品の固有情報を非接触の読み取り端末機で読み取る時に、前記商品の固有情報を照合した場合にのみ、前記発光素子が非発光から発光に変化するか、又は発光から非発光に変化することを特徴とする非接触ＩＣタグ。
【請求項２】
前記非接触ＩＣタグの集積回路内に、前記発光の可否の目印である発光フラグを制御する機能を有していることを特徴とする請求項１に記載の非接触ＩＣタグ。
【請求項３】
前記発光フラグの制御が不可逆であることを特徴とする請求項２に記載の非接触ＩＣタグ。
【請求項４】
前記非接触ＩＣタグの集積回路内に、精算または未清算のいずれかを表示する精算フラグの機能を有していることを特徴とする請求項１〜３のいずれかに記載の非接触ＩＣタグ。
【請求項５】
請求項１〜４のいずれかに記載の非接触ＩＣタグと、前記読み取り端末機とを有することを特徴とする精算システム。
【請求項６】
請求項１〜４のいずれかに記載の非接触ＩＣタグを用いて、前記読み取り端末機により前記商品の固有情報を照合する精算システムであって、前記読み取り端末機と同一の空間領域の出入り口近傍に、第二の読み取り端末機を設置することにより前記商品の固有情報を照合することを特徴とする請求項５に記載の精算システム。
【発明の詳細な説明】
【技術分野】
【０００１】
本発明は、リーダーライタと非接触で通信するＩＣタグとそれを用いた精算システムに関するものである。
【背景技術】
【０００２】
バーコードの普及により、物流システムは大幅に進化をしている。例えば、デパート、スーパーマーケット、ショッピングセンターなどの大型量販店において、利用者は商品棚からあらかじめバーコードを具備した多量の商品を選定し、ジレにて精算する、といったシステムが日常の生活に不可欠な手段となっている。具体的には、量販店の販売員がレジにて、商品に記載されたバーコードを読み取り、そのデータが自動で精算される仕組みである。
【０００３】
しかしながら、上記のような商品に記載されたバーコードの読み取りによる精算システムは、商品に具備したバーコードの位置、形状が多様であり問題となる。例えば、その形状が平坦であれば問題はないが、凹部や凸部の形状では読取り難く、一度の読み取りでは確認できず、場合によっては数度の読み取りを繰り返すことなどの問題が生じる。このような読み取りの繰り返しにより、精算全体に過分な時間を要すことで利用者の不評を買う原因となる。また、このような問題が生じないようにするには、迅速な対応ができるレジ係りの育成が必要となる。
【０００４】
上記のようなバーコードによる精算システムの問題を補うために、最近ではＩＣタグが開発され、情報量の多さと迅速な精算が可能となっている。
【０００５】
しかしながら、現状の読み取りシステムでは、依然としてレジの混雑の緩和や、万引き防止などの諸問題がある。これらの問題に対して、利用者が安心してもっとショッピングを楽しむことができる仕組みの提案がなされている。
【０００６】
例えば、特許文献１では、従来のＰＯＳシステムとインターネット・ショッピングを活用して、商品固有につけられた商品コード、バーコード、ＩＣタグによる電子荷札及び商品実物を撮影した画像を適用することで、利用者は境内電話や携帯情報端末だけを持っていれば、全くの手手ぶらのままでショッピングができるシステムが提案されている。しかしながら、この提案では商品固有につけられた商品コード、バーコード、ＩＣタグによる電子荷札及び商品実物を撮影するなどの膨大な作業を要し、また配達などの費用増の問題があり、実用にはまだまだ大きな問題がある。
【０００７】
また、特許文献２では、商品の所在を即時に判別できる発音や発光手段を具備したＩＣタグが提案されている。また、特許文献３では表示手段として発光ダイオードを具備したＩＣタグが提案されている。煩雑な商品中から求める商品の所在を即時に判別できる表示手段としての発光ダイオードは、発音体に比べて消費電力を大幅に節減でき有効な手段である。しかしながらこれらの提案は、いずれも山積みの荷物の中から必要な荷物を用意に発見することを目的としたＩＣタグであり、不特定多数お大勢の買い物客が集まる店舗で問題になっている、レジでの混雑緩和や万引き等の不正行為の防止には依然として問題が残る。
【先行技術文献】
【特許文献】
【０００８】
【特許文献１】特開２００３−３３１０２４号公報
【特許文献２】特開平１１−５２８５９号公報
【特許文献３】特開平１１−２０５２０２号公報
【発明の概要】
【発明が解決しようとする課題】
【０００９】
本発明の目的は上記課題を解決するためのものであり、大勢の買い物客が集まる店内で、お客様の購入した商品が二重に精算処理させることもなく、また未清算のまま残されることもなく的確に精算処理され、且つ、万引きを防ぐことができる非接触ＩＣタグ及びそれを用いた照合システムを提供するものである。
【課題を解決するための手段】
【００１０】
本発明の請求項１に係る発明は、基材に少なくとも集積回路、アンテナコイル及び発光素子からなる非接触ＩＣタグであって、前記集積回路に付与された商品の固有情報を非接触の読み取り端末機で読み取る時に、前記商品の固有情報を照合した場合にのみ、前記発光素子が非発光から発光に変化するか、又は発光から非発光に変化することを特徴とする非接触ＩＣタグである。
【００１１】
また、本発明の請求項２に係る発明は、前記非接触ＩＣタグの集積回路内に、前記発光の可否の目印である発光フラグを制御する機能を有していることを特徴とする請求項１に記載の非接触ＩＣタグである。
【００１２】
また、本発明の請求項３に係る発明は、前記発光フラグの制御が不可逆であることを特徴とする請求項２に記載の非接触ＩＣタグである。
【００１３】
また、本発明の請求項４に係る発明は、前記非接触ＩＣタグの集積回路内に、精算または未清算のいずれかを表示する精算フラグの機能を有していることを特徴とする請求項１〜３のいずれかに記載の非接触ＩＣタグである。
【００１４】
また、本発明の請求項５に係る発明は、請求項１〜４のいずれかに記載の非接触ＩＣタグと、前記読み取り端末機とを有することを特徴とする精算システムである。すなわち、本発明の非接触ＩＣタグが付いた商品の固有情報を非接触の読み取り端末機で読み取る時に、前記商品の固有情報を照合した場合にのみ前記非接触ＩＣタグ発光することで、目視により精算済みの確認ができ、一度精算処理した商品を間違って二重精算処理することが防げる。さらには、まだ精算処理していない商品の精算処理忘れを防ぐことができる。
【００１５】
同様に、本発明の非接触ＩＣタグを予め発光させておき、該非接触ＩＣタグが付いた商品の固有情報を非接触の読み取り端末機で読み取る時に、前記商品の固有情報を照合した場合にのみ前記非接触ＩＣタグが消光することで、目視により精算済みの確認をすることもできる。
【００１６】
また、本発明の請求項６に係る発明は、請求項１〜４のいずれかに記載の非接触ＩＣタグを用いて、前記読み取り端末機により前記商品の固有情報を照合する精算システムであって、前記読み取り端末機と同一の空間領域の出入り口近傍に、第二の読み取り端末機を設置することにより前記商品の固有情報を照合することを特徴とする請求項５に記載の精算システムである。
【００１７】
すなわち、本発明は前記発光フラグの制御が不可逆であるために、例えば、商品の精算処理を行なった後に発光不可の入力をすることで、清算処理済の商品を持ち出すと、別途、お店の出入り口近傍に設置した非接触の読み取り端末機を通過するときは非発光（消光）となり、精算処理済みの照合をすることが目視で容易にできる。
【００１８】
一方、未清算処理の商品を店内の正規のレジを通過せず、直接、上記のお店の出入り口近傍に設置した非接触の読み取り端末機を通過すると、その商品に付いている非接触ＩＣタグが発光し、不正通過、すなわち万引き品として検知することで万引きを防止ができる。
【発明の効果】
【００１９】
本発明によれば、店内のお客様の購入した商品が精算済であることを目視で確認でき、且つ、万引きを防ぐことができる非接触ＩＣタグ及びそれを用いた精算システムを提供することができる。
【図面の簡単な説明】
【００２０】
【図１】本発明の一実施形態に係る非接触ＩＣタグの断面概略図である。
【図２】本発明の一実施形態に係る精算システムの概要図である。
【図３】本発明の一実施形態に係る精算システム（重複精算防止）の概要図である。
【発明を実施するための形態】
【００２１】
以下、本発明の非接触ＩＣタグ及びそれを用いた精算システムについて、図面を参照しながら詳細に説明する。
【００２２】
図１は本発明の一実施態様に係る非接触ＩＣタグの断面概略図を示している。すなわち、本発明の非接触ＩＣタグ１０は、基材１に少なくとも集積回路（ＩＣチップ）２、アンテナコイル３及び発光素子４を有している。
【００２３】
本発明に係る基材１としては、紙、合成紙、ポリエステルフィルムなどのプラスチックフィルムを用いることができ、単体もしくは積層体であっても良い。また、その厚みとしては利便性やコスト面から０．１〜１．０ｍｍが好ましい。
【００２４】
また、本発明に係るアンテナコイル３としては、前記基材１に積層された銅、ニッケル、アルミニウム等の金属箔をパターニング処理するか、導電ペーストをパターニング処理することにより形成することができる。
【００２５】
また、本発明に係る前記発光素子４としては、特に限定するものではないが例えば発光ダイオードなどが好ましく、前記集積回路（ＩＣチップ）２の制御により、発光・消光することができる。また、発光素子４の発光に必要な電力は前記集積回路（ＩＣチップ）２により供給される。
【００２６】
また、本発明に係る前記集積回路（ＩＣチップ）２は、後ほど説明する発光素子の発光の可否の目印である発光フラグを立てる機能を有しており、例えば発光可の信号を受信することにより発光素子４が発光する。また、この集積回路（ＩＣチップ）２には、精算処理済みまたは未精算処理のいずれかを表す精算フラグを立てる機能も有している。
【００２７】
発光フラグは、非接触ＩＣタグ用ＩＣタグ用リーダー／ライター（Ｒ／Ｗ）２１からのコマンドによって切り替えることができる。具体的には、予めタグに登録されている認証コードに対応した認証コードを、非接触ＩＣタグ用ＩＣタグ用Ｒ／Ｗ２１から切り替えコマンドと共に投げかけ、予めタグに登録されている認証コードと一致した場合に発光フラグを切り替えるようにしてもよい。このようにすることで、不正な発光フラグの切り替えを防ぐことができる。
【００２８】
上記のこれらの機能により、例えば、事前に発光フラグを発光可としておけば、非接触
ＩＣタグ用Ｒ／Ｗ２１で読み取る精算処理時に、非接触ＩＣタグは発光する。これにより精算処理済みの確認が容易にでき、精算処理済みの商品を二重にカウントすることが防げる。また購入品が籠などの一つの入れ物に多量にある場合、各商品のＩＣタグが同時に反応するために電文の衝突などが多発し、その結果読み取りが遅れると言う問題も防げ、未だ精算処理していない商品と精算済み商品との識別が目視により容易にでき、精算処理の見過ごしが防げる。
【００２９】
さらに、精算処理後、前記非接触ＩＣタグ用Ｒ／Ｗ２１で発光不可と書き込めば(入力すれば)、この非接触ＩＣタグは発光しない。すなわち、図２に示す本発明の精算システムにより、既に一度精算処理した商品は、店の出入り口近傍に設置された別の非接触ＩＣタグ用Ｒ／Ｗ２３を通過しても発光せず、本商品が正規の精算処理を済ましたことを検知することができる。
【００３０】
一方、もしこの非接触ＩＣタグ１０を付与した商品が、精算用の前記非接触ＩＣタグ用Ｒ／Ｗ２１を通過せずに、店の出入り口近傍に設置された別の非接触ＩＣタグ用Ｒ／Ｗ２３を通過すると、非接触ＩＣタグ１０が発光するため未精算処理品と目視で容易に判別でき、万引き防止が迅速かつ確実にできる精算システムである。
【００３１】
上述のように本発明の精算システムは、商品ごとに固有情報を入力した非接触ＩＣタグを付与し、上述の事前の発光フラッグ及び精算フラッグを入力することにより、レジにおける非接触ＩＣタグ用Ｒ／Ｗを通過することで、購入者の購入する全商品に対して精算処理の重複や精算忘れもなく（図３参照）、確実に且つ容易に処理することができる。また、商品の精算処理と同時にその商品の非接触ＩＣタグに精算済みの精算情報を記録することもできる。またさらに、本発明のシステムにより、万引き防止も容易に行なうことができる。
【００３２】
図３は本発明の精算システムの一実施形態であり、予め非発光に設定した非接触ＩＣタグ１０を付与した商品が、非発光のままレジを通過することで精算が終了し、その際に発光フラグをＯＮに設定することにより、この精算済みの商品を再度レジに通すと発光することから、この商品が精算済みであるということが目視で確認でき、精算の重複を防ぐことができる。なお、この場合の発光・非発光は逆でも可能である。
【００３３】
本発明の精算システムをより詳しく説明するために、図２を参照にして具体的に説明する。
【００３４】
購買者が本発明に係る非接触ＩＣタグを付与した商品２２を購入する場合、その商品（一例としてカメラを表している）を持って店内２４に設置された非接触ＩＣタグ用Ｒ／Ｗ２１を通過すると、事前に入力されている発光可の発光フラッグにより前記非接触ＩＣタグ１０が発光し、同時に精算フラッグが立ち精算処理の完了したことが確認できる。
【００３５】
そして精算処理の完了確認時に、前記非接触ＩＣタグ１０に発光不可の入力をすることにより、この商品が店外に移動する際に、出入り口近傍に設置された非接触ＩＣタグ用Ｒ／Ｗ２３を通過しても発光することはなく（非発光）、精算処理済み商品として目視にて容易に、且つ確実に照合される。
【００３６】
一方、もし非接触ＩＣタグを付与した商品２２が、店内２４に設置された非接触ＩＣタグ用Ｒ／Ｗ２１を通過することなく、直接、出入り口近傍に設置された非接触ＩＣタグ用Ｒ／Ｗ２３を通過すると、非接触ＩＣタグ１０が発光し不正通過、すなわち万引き品として検知される精算システムである。
【産業上の利用可能性】
【００３７】
本発明に係る非接触ＩＣタグ及びそれを用いた精算システムを導入することにより、例えば、デパート、スーパーマーケット、ショッピングセンターなどの人が大勢集まる大型量販店において、購入商品を二重に精算処理することや未精算処理のミスを容易に防げ、また、正規の購入商品と万引き品との判断が正確に、且つ容易にでき、安全・安心なショッピングシステムを提供できる。
【符号の説明】
【００３８】
１    ・・・基材
２    ・・・集積回路（ＩＣチップ）
３    ・・・アンテナコイル
４    ・・・発光素子
１０  ・・・非接触ＩＣタグ
２０  ・・・精算システム
２１  ・・・非接触ＩＣタグ用Ｒ／Ｗ
２２  ・・・非接触ＩＣタグを付与した商品
２３  ・・・非接触ＩＣタグ用Ｒ／Ｗ
２４  ・・・店内
【図１】
2013131025.tif 000003
【図２】
2013131025.tif 000004
【図３】
2013131025.tif 000005